(57)【要約】【課題】  分岐点を精緻に位置決めした状態で、電線束を容易に結束することができる電線支持具を提供すること。【解決手段】  幹線配索経路ＰＨ１から分岐配索経路ＰＨ２、ＰＨ３が分岐する分岐点Ｃを挟んで当該幹線配索経路ＰＨ１沿いに対向し、且つ幹線配索経路ＰＨ１に対応して配設される電線束ＷＴを分岐点Ｃの近傍で支持する一対の基線支持部３と、分岐配索経路ＰＨ２、ＰＨ３に対応して配索される電線束ＷＴを分岐点Ｃの近傍で支持する分岐支持部４とを備え、各配索経路ＰＨ１〜ＰＨ３に沿って配索された電線Ｗの分岐点Ｃの近傍部分を当該分岐点Ｃに収束させて結束できるように、電線Ｗの分岐部分に対して結束部材をたすき掛け可能な結束経路を形成している。【選択図】      図４
2005174841.tif 000002
【特許請求の範囲】
【請求項１】
基線経路とこの基線経路の途中から分岐する分岐経路を有するワイヤーハーネスを製造するワイヤーハーネス製造図板に設けられ、基線経路に対応する基線配索経路と分岐経路に対応する分岐配索経路とに沿ってワイヤーハーネスを構成する電線の束が配索されるように、この電線束をワイヤーハーネス製造図板上に支持する電線支持具であって、
上記基線配索経路から分岐配索経路が分岐する分岐点を挟んで当該基線配索経路沿いに対向し、且つ上記基線配索経路に対応して配索される電線束を分岐点の近傍で支持する一対の基線支持部と、
分岐配索経路に対応して配索される電線束を分岐点の近傍で支持する分岐支持部とを備え、
各配索経路に沿って配索された電線の分岐点近傍部分を当該分岐点に収束させて結束できるように、電線の分岐部分に対して結束部材をたすき掛け可能な結束経路を形成していることを特徴とする電線支持具。
【請求項２】
請求項１に記載の電線支持具において、上記各基線支持部及び分岐線支持部は、各配索経路に沿わせた状態で電線束を配索可能な作業位置と、各配索経路から図板側へ退避する退避位置との間で変位可能に構成されていることを特徴とする電線支持具。
【発明の詳細な説明】
【技術分野】
【０００１】
本発明は、図板上に電線を支持する電線支持具に関するものである。
【背景技術】
【０００２】
一般にワイヤーハーネスは、多数のコネクタ間に電線が複雑に枝分かれして接続されることにより、所定の回路が形成された電気配線システムである。この種のワイヤーハーネスを製造する場合、図板と称される作業台上に立設された複数の電線支持具を用いて、複数の電線を予め設定された配索経路に沿って配索することとしている。
【０００３】
特に、上記配索経路においてワイヤーハーネスの基線経路と分岐線経路との分岐点に対応して配置された電線支持具は、図板上に立設された脚部と、この脚部上に設けられた電線受け部と、この電線受け部上の電線の脱落を防止する複数の電線掛部とを備え、特定の電線掛部に電線を掛けることにより、当該電線掛部を中心として電線を屈折した状態で保持するようになっている。そのため、この電線支持具を利用することにより、ワイヤーハーネスの基線経路を構成する電線を直線状に配索することができるとともに、分岐経路を構成する電線を基線経路に対して所定の角度に屈折させた状態で図板上に配索することができ、このように配索された電線束の分岐部分にテープが巻き付けられることにより、電線束を結束して分岐形態が固定されることとなる。
【０００４】
そして、上記テーピング作業の邪魔にならないように、上記電線掛部が電線束から退避可能に構成された電線支持具が知られている（例えば、特許文献１〜３）。
【０００５】
さらに、別の電線支持具としては、上記配索経路上に予め設定された分岐点（分岐経路を構成する電線の屈折位置）に対応して図板上に配設された電線掛部に対して分岐経路を構成する電線を掛け、テーピング時にこの電線掛部の姿勢を維持しつつ、その他の電線掛部を電線束から退避させるように構成されたものもある（特許文献４）。
【特許文献１】特開平５−３２５６７１号公報
【特許文献２】特開２００２−３０４９２３号公報
【特許文献３】特開平５−２５０９３６号公報
【特許文献４】特開２００２−２９８６７１号公報
【発明の開示】
【発明が解決しようとする課題】
【０００６】
しかしながら、上記特許文献１〜３の電線支持具によれば、各電線掛部を電線束から退避させた状態で分岐部分のテーピング作業を行うこととしているため、作業者は、電線支持具に保持されている電線束の分岐形態を一方の手で仮保持した状態で電線保持具を退避させ、他方の手でテーピング作業を行う必要があった。そのため、特許文献１〜３の電線支持具では、テーピング作業に熟練を要し、作業性が悪いだけでなく、片手で仮保持された電線束の分岐形態が不安定となり、電線束の分岐点が予め設定された分岐点からずれてしまうおそれがあった。このように分岐点のずれが生じると、分岐点を基準としたワイヤーハーネス各部の寸法精度が悪くなるという問題が生じることとなる。
【０００７】
また、上記特許文献４の電線支持具は、配索経路の分岐点に配設された電線掛部の姿勢を固定した状態を維持することにより、テーピング時にも電線束の分岐点を位置決めすることを図っているが、実際には、基線経路の両端側から配索された電線が電線掛部の両側から掛けられるので、これら電線の分岐点が電線掛部の直径寸法分だけずれてしまうという問題があった。
【０００８】
本発明は、上記課題に鑑みてなされたものであり、分岐点を精緻に位置決めした状態で、電線束を容易に結束することができる電線支持具を提供することを目的としている。
【課題を解決するための手段】
【０００９】
上記課題を解決するために本発明は、基線経路とこの基線経路の途中から分岐する分岐経路を有するワイヤーハーネスを製造するワイヤーハーネス製造図板に設けられ、基線経路に対応する基線配索経路と分岐経路に対応する分岐配索経路とに沿ってワイヤーハーネスを構成する電線の束が配索されるように、この電線束をワイヤーハーネス製造図板上に支持する電線支持具であって、上記基線配索経路から分岐配索経路が分岐する分岐点を挟んで当該基線配索経路沿いに対向し、且つ上記基線配索経路に対応して配索される電線束を分岐点の近傍で支持する一対の基線支持部と、分岐配索経路に対応して配索される電線束を分岐点の近傍で支持する分岐支持部とを備え、各配索経路に沿って配索された電線の分岐点近傍部分を当該分岐点に収束させて結束できるように、電線の分岐部分に対して結束部材をたすき掛け可能な結束経路を形成していることを特徴とするものである。
【００１０】
上記電線支持具において、上記各基線支持部及び分岐線支持部は、各配索経路に沿わせた状態で電線束を配索可能な作業位置と、各配索経路から図板側へ退避する退避位置との間で変位可能に構成されていることが好ましい。
【発明の効果】
【００１１】
本発明によれば、各基線支持部及び分岐支持部により基線経路及び分岐経路を構成する電線対を保持することができ、このように保持された電線束に対して結束経路を介して結束部材をたすき掛けすることにより、保持された電線束を分岐点へ収束させて結束することができる。したがって、本発明では、支持具自身を変位させたり、支持された電線束を大幅に移動させることなく、結束部材をたすき掛けすることができるので、作業者の熟練を要することなく、容易に結束部材の巻き付け作業を行うことができるとともに、電線束の分岐点を精緻に位置決めすることができるので、ワイヤーハーネスの寸法精度を向上させることができる。
【００１２】
さらに、このたすき掛けの過程で弛みのある電線が分岐点を中心に引き寄せられることになるので、各電線に所要のテンションを付与することも可能となり、この点からも品質が向上する。
【００１３】
各基線支持部及び分岐支持部を各配索経路から退避可能にした構成によれば、結束部材のたすき掛け作業が終了した後に各基線支持部及び分岐支持部を退避位置として、基線経路及び分岐経路を構成する電線束に対してコルゲートチューブ等の外装部品を装着することができる。
【発明を実施するための最良の形態】
【００１４】
以下、本発明の好ましい実施形態について図面を参照して説明する。
【００１５】
図１は、本発明に係る電線支持具が設けられたワイヤーハーネスの製造図板を概略的に示す平面図である。
【００１６】
図１を参照して、製造図板１は、略長方形に形成され、その長手方向が水平方向に沿って配置されているとともに、長手方向と直交する側方に位置する作業者に対して上面を向けるように傾斜して配置されている。この製造図板１上には、製造対象となるワイヤーハーネスの最終形態に対応して電線の配索経路ＰＨが図板１の上面に沿って平面的に設定されている。この配索経路ＰＨは、ワイヤーハーネスの幹線経路を構成する電線が左右方向に配索される幹線配索経路（基線配索経路）ＰＨ１と、ワイヤーハーネスの分岐経路を構成する電線が配索される複数の分岐配索経路ＰＨ２〜ＰＨ８とを備え、上記図板１上には、これら幹線配索経路ＰＨ１及び分岐配索経路ＰＨ２〜ＰＨ８に沿って複数の電線が配索されるように、周知の電線支持具（図示せず）が複数個配設されている。特に、上記分岐配索経路ＰＨ２及びＰＨ３は、幹線配索経路ＰＨ１上の同位置で、当該幹線配索経路ＰＨ１と直交して相反する方向へ延びるように設定されており、これら分岐配索経路ＰＨ２及びＰＨ３と幹線配索経路ＰＨ１との交差位置に対応する図板１上には、電線支持具２が設けられている。
【００１７】
図２は、図１の電線支持具２を拡大して示す平面図であり、図３は、図１の電線支持具２の全体構成を示す斜視図である。
【００１８】
各図を参照して、電線支持具２は、上記幹線配索経路ＰＨ１に対応して配索される電線束を支持する一対の基線支持部３と、分岐配索経路ＰＨ２及びＰＨ３に対応して配索される電線束を個別に支持する一対の分岐支持部４と、これら両支持部３、４をそれぞれ図板１上に支持する４本の脚部５とを備えている。なお、上記基線支持部３及び分岐線支持部４は、後述する電線受け溝８を除く共通の構成を備えているため、以下、基線支持部３の構成を例に挙げて説明し、これら構成には、共通の符号を付すこととする。
【００１９】
上記基線支持部３は、幹線配索経路ＰＨ１に沿って配索された電線が載置される電線受け部６と、この電線受け部６上の電線の脱落を防止する一対の電線掛部７とを備えている。電線受け部６は、平面視で概ね直角二等辺三角形に形成された合成樹脂からなるブロック体であり、その上面には、上記配索経路ＰＨに沿って載置された電線束を収容する電線受け溝８が形成されている。この電線受け溝８は、図板１の上方へ開口するとともに、平面視で電線受け部６の頂点から底辺への垂線方向に沿って延びる溝であり、載置される電線の本数に応じて幅寸法が設定されている。本実施形態では、右側の基線支持部３の電線受け溝８が一番大きな幅寸法に設定されている一方、分岐配索経路ＰＨ３を支持する分岐支持部４の電線受け溝８が一番小さな幅寸法に設定されている。各電線掛部７は、上記電線受け溝８の両側で電線受け部６上に立設され、図板１の上方に延びる円柱状の部材である。
【００２０】
上記脚部５は、図板１上に立設された角柱部９を備え、この角柱部９上に連結ピン１０を介して上記電線受け部６が固定されるようになっている。すなわち、上記配索経路ＰＨは、図板１の上面に対して脚部５の高さ分だけ上方に設定されている。また、脚部５は、電線受け部６の下面に取り付けられた状態で、平面視において電線受け部６により完全に覆われるようになっている（図２参照）。上記角柱部９は、ボルト１１により図板１に位置決めされているとともに、このボルト１１及び図板１を貫通して、下端部が図略の高さ位置調整機構と連結されている。この高さ位置調整機構は、例えば、特開平６−３３３４４１号公報に示される周知の機構であるため、その構成についての説明は省略するが、この高さ位置調整機構により、上記角柱部９は、図板１上に突出した姿勢と、図板１側へ没した姿勢との間で図板に対して相対変位可能にされている。
【００２１】
そして、上記各基線支持部３は、各脚部５によって上記幹線配索経路ＰＨ１から分岐配索経路ＰＨ２及びＰＨ３が分岐する分岐点Ｃを挟んで当該幹線配索経路ＰＨ１沿いで左右に対向し、且つ上記幹線配索経路ＰＨ１に対応して配索される電線束を分岐点Ｃの近傍で支持可能となるように図板１上に配設されている。また、分岐支持部４は、各脚部５によって、上記分岐点Ｃの近傍で分岐配索経路ＰＨ２及びＰＨ３に対応して配索される電線束を個別に支持可能となるように図板１上に配設されている。具体的に本実施形態では、両支持部３、４の各電線受け部６は、平面視において、直角二等辺三角形の各頂点が各配索経路ＰＨ１〜ＰＨ３上で分岐点Ｃから一定距離だけ離間して配置されているとともに、これら頂点の外側位置で各底辺が各配索経路ＰＨ１〜ＰＨ３に対して直交するように配置されている。したがって、各電線受け部６間には、平面視で分岐点Ｃを中心として各配索経路ＰＨ１〜ＰＨ３に対して４５°傾斜した十字型の結束経路Ａが図板１上に区画されることとなる。
【００２２】
また、各基線支持部３及び分岐支持部４の各電線受け部６は、上記各脚部５により、それぞれ各配索経路ＰＨ１〜ＰＨ３に沿わせた状態で電線束を配索可能な作業位置と、各配索経路ＰＨ１〜ＰＨ３から図板１側へ退避する退避位置との間で図板１に対して相対変位可能に支持されている。
【００２３】
以下、電線支持具２を利用して電線束をテープ（結束部材）により結束する方法について説明する。
【００２４】
図４は、図１の電線支持部２により電線束を結束する手順を示す平面略図であり、（ａ）は電線が配索された状態、（ｂ）は電線束を斜めに結束した状態、（ｃ）は電線束をたすき掛けした状態をそれぞれ示している。
【００２５】
図４の（ａ）に示すように、右側に配置された基線支持部３は、各基線支持部３間で配索される電線Ｗｅだけでなく、幹線配索経路ＰＨ１の右側から配索され、分岐配索経路ＰＨ２側へ分岐する電線Ｗａ及び分岐配索経路ＰＨ３側へ分岐する電線Ｗｂを支持する一方、左側に配置された基線支持部３は、上記電線Ｗｅだけでなく、幹線配索経路ＰＨ１の左側から配索され、分岐配索経路ＰＨ２側へ分岐する電線Ｗｃ及び分岐配索経路ＰＨ３側へ分岐する電線束Ｗを支持するようになっている。そして、分岐配索経路ＰＨ２に対応して設けられた分岐支持部４は、上記電線Ｗａ及び電線Ｗｃを支持する一方、分岐配索経路ＰＨ３に対応して設けられた分岐保持部４は、上記電線Ｗｂ及び電線Ｗｄを支持するようになっている。このように各配索経路ＰＨ１〜ＰＨ３に沿って配索された電線Ｗａ〜Ｗｅは、上記作業位置とされた各電線受け部６上に保持され、この状態では上記結束経路Ａ上に電線Ｗａ〜Ｗｅの束（以下、電線束ＷＴと称す）がまたがって配置されていることとなる。
【００２６】
上記電線束ＷＴに対してテープＴを巻き付ける場合には、図４の（ｂ）に示すように、電線束ＷＴにテープＴを貼り付け、このテープＴを結束経路Ａに沿って電線束ＷＴの下方をくぐらせて、再び電線束ＷＴの上方へ巻き上げることにより、電線束ＷＴの周りにテープＴを周回させることとなる。なお、図示の状態においては、電線Ｗｃと電線Ｗｂとをそれぞれ分岐点Ｃに収束させるように、電線束ＷＴに対して右下がりにテープＴが巻きつけられている。
【００２７】
さらに、上記のように巻き付けられたテープＴと直交する方向へ上記手順と同様にテープＴを巻き付けることにより、図４の（ｃ）に示すように、電線Ｗａと電線Ｗｄとをそれぞれ分岐点Ｃに収束させるように、電線束ＷＴに対して左下がりにテープＴを巻き付けることができ、これらの手順を繰り返すことにより、テープＴをたすき掛けして電線束ＷＴを結束することができる。
【００２８】
なお、上記実施形態では、幹線配索経路ＰＨ１と各分岐配索経路ＰＨ２及びＰＨ３とが十字に交差した個所に電線支持具２を配設した構成について説明したが、この構成に限定されることはなく、例えば、図５に示すように幹線配索経路ＰＨ１から分岐配索経路ＰＨ２がＴ字に分岐する個所に配設するようにしてもよい。
【００２９】
図５は、別の実施形態の電線支持具１２を示す平面図であり、（ａ）は電線Ｗが配索された状態、（ｂ）は電線束ＷＴを斜めに結束した状態、（ｃ）は電線束ＷＴをたすき掛けした状態をそれぞれ示している。なお、本実施形態の電線支持具１２は、上記分岐配索経路ＰＨ３（図２参照）に対応して配置された分岐支持部４が省略されている点を除き上記電線支持具２と同様の構成を備えているため、各幹線支持部３と分岐線支持部４との間には、上記分岐支持部４が省略された分だけ上記結束経路Ａよりも広い範囲に結束経路Ａ２が形成されている。すなわち、結束経路Ａ２は、上記結束経路Ａに加えて、幹線配索経路ＰＨ１に沿って配索された電線束ＷＴを上記分岐配索経路ＰＨ３側に開放するようになっている。以下、電線支持具１２の作用について説明する。
【００３０】
図５の（ａ）に示すように、右側に配置された基線支持部３は、各基線支持部３間で配索される電線Ｗｆだけでなく、幹線配索経路ＰＨ１の右側から配索され、分岐配索経路ＰＨ２側へ分岐する電線Ｗｇを支持する一方、左側に配置された基線支持部３は、上記電線Ｗｆだけでなく、幹線配索経路ＰＨ１の左側から配索され、分岐配索経路ＰＨ２側へ分岐する電線Ｗｈを支持するようになっている。そして、分岐支持部４は、上記電線Ｗｅ及び電線Ｗｆを支持するようになっている。このように各配索経路ＰＨ１及びＰＨ２に沿って配索された電線Ｗは、上記作業位置とされた各電線受け部６上に保持され、この状態では上記結束経路Ａ２上に電線束ＷＴがまたがって配置されていることとなる。
【００３１】
上記電線束ＷＴに対してテープＴを巻きつける場合には、図５の（ｂ）に示すように、電線束ＷＴにテープＴを貼り付け、このテープＴを基線支持部３と分岐支持部４との間の結束経路Ａ２に沿って電線束ＷＴの下方をくぐらせて、再び電線束ＷＴの上方へ巻き上げることにより、電線束ＷＴの周りにテープＴを周回させることとなる。なお、図示の状態においては、電線Ｗｈを分岐点Ｃに収束させるように、電線束ＷＴに対して右下がりにテープＴが巻き付けられている。
【００３２】
さらに、上記のように巻き付けられたテープＴと直交する方向へ上記手順と同様にテープＴを巻き付けることにより、図５の（ｃ）に示すように、電線Ｗｇを分岐点Ｃに収束させるように、電線束ＷＴに対して左下がりにテープＴを巻き付けることができ、これらの手順を繰り返すことにより、テープＴをたすき掛けして電線束ＷＴを結束することができる。
【００３３】
以上説明したように、電線支持具２によれば、各基線支持部３及び分岐線支持部４によりワイヤーハーネスの基線経路及び分岐経路を構成する電線対ＷＴを保持することができ、このように保持された電線対ＷＴに対して結束経路Ａ、Ａ２を介してテープＴをたすき掛けすることにより、保持された電線対ＷＴを分岐点Ｃへ収束させて結束することができる。したがって、電線支持具２では、支持された電線束ＷＴを移動させることなく、テープＴをたすき掛けすることができるので、作業者の熟練を要することなく、容易にテープＴの巻き付け作業を行うことができるとともに、電線束ＷＴの分岐点Ｃを精緻に位置決めすることができるので、ワイヤーハーネスの寸法精度を向上させることができる。
【００３４】
各基線支持部３及び分岐支持部４を配索経路ＰＨから退避可能にした構成によれば、テープＴのたすき掛け作業が終了した後に各基線支持部３及び分岐支持部４を退避位置として、ワイヤーハーネスの基線経路及び分岐経路を構成する電線束ＷＴに対して個別にテープＴを巻き付けることができる。
【００３５】
なお、上記の各実施形態では、幹線配索経路と分岐配索経路との分岐個所に電線保持具２、１２を配設することとしているが、この構成に限定されることはなく、分岐配索経路同士が分岐した個所、例えば、図１の分岐配索経路ＰＨ７とＰＨ８との分岐個所に電線保持具２、１２を配設するようにしてもよい。
【図面の簡単な説明】
【００３６】
【図１】本発明に係る電線支持具が設けられたワイヤーハーネスの製造図板を概略的に示す平面図である。
【図２】図１の電線支持具を拡大して示す平面図である。
【図３】図１の電線支持具の全体構成を示す斜視図である。
【図４】図１の電線支持部により電線束を結束する手順を示す平面略図であり、（ａ）は電線が配索された状態、（ｂ）は電線束を斜めに結束した状態、（ｃ）は電線束をたすき掛けした状態をそれぞれ示している。
【図５】別の実施形態の電線支持具を示す平面図であり、（ａ）は電線が配索された状態、（ｂ）は電線束を斜めに結束した状態、（ｃ）は電線束をたすき掛けした状態をそれぞれ示している。
【符号の説明】
【００３７】
１    図板
２    電線支持具
３    基線支持部
４    分岐支持部
Ａ、Ａ２    結束経路
Ｃ    分岐点
ＰＨ１    幹線配索経路（基線配索経路の一例）
ＰＨ２、ＰＨ３    分岐配索経路
Ｔ    テープ
【図１】
2005174841.tif 000003
【図２】
2005174841.tif 000004
【図３】
2005174841.tif 000005
【図４】
2005174841.tif 000006
【図５】
2005174841.tif 000007